(57)【要約】【課題】第２の印刷データを第１の印刷データ上に高い彩度で印刷することができる印刷装置及び印刷方法を提供する。【解決手段】印刷装置１０は、印刷パターンを記憶する印刷パターン記憶部２０と、印刷媒体上に印刷する画像データである第１の印刷データを取得して記憶する第１の印刷データ記憶部１９と、第１の印刷データが印刷された印刷媒体上に印刷する画像データである第２の印刷データを取得して記憶する第２の印刷データ記憶部１６とを備える。また、処理開始指示信号の入力を受け付ける処理開始指示取得部１１と、処理開始指示取得部１１から処理開始指示信号が入力された場合に印刷媒体上に第１の印刷データを印刷した後、第１の印刷データが印刷された印刷媒体上に第２の印刷データを印刷パターン記憶部２０に記憶されている印刷パターンに基づいて印刷する印刷部２１とを備える。【選択図】図２
2008194831.tif 000002
【特許請求の範囲】
【請求項１】
印刷媒体上に印刷データを印刷する印刷装置であって、
彩度の異なる少なくとも２色のインクを格子状の領域に同一色のインクが隣り合わないように印刷するための印刷パターンを記憶する印刷パターン記憶部と、
前記印刷媒体上に印刷する画像データである第１の印刷データを取得して記憶する第１の印刷データ記憶部と、
前記第１の印刷データが印刷された印刷媒体上に印刷する画像データである第２の印刷データを取得して記憶する第２の印刷データ記憶部と、
前記印刷媒体上への前記第１の印刷データ及び前記第２の印刷データの印刷の開始を指示するための処理開始指示信号の入力を受け付ける処理開始指示取得部と、
前記処理開始指示取得部から処理開始指示信号が入力された場合に前記印刷媒体上に前記第１の印刷データ記憶部に記憶された第１の印刷データを印刷した後、前記第１の印刷データが印刷された印刷媒体上に前記第２の印刷データ記憶部が取得して記憶した第２の印刷データを前記印刷パターン記憶部に記憶された印刷パターンに基づいて印刷する印刷部と、
を備えることを特徴とする印刷装置。
【請求項２】
被写体を撮像するための撮像指示信号の入力を受け付ける撮像指示取得部と、
前記撮像指示取得部が撮像指示信号が入力された場合に被写体を撮像する撮像部とを更に備え、
前記第１の印刷データ記憶部は、前記撮像部が撮像した画像データを前記第１の印刷データとして取得して記憶することを特徴とする請求項１に記載の印刷装置。
【請求項３】
前記第１の印刷データ上に印刷する複数の図形パターンを予め記憶する図形パターン記憶部と、
前記複数の図形パターンの少なくとも１つを選択する図形パターン選択信号の入力を受け付ける図形パターン選択部とを備え、
前記第２の印刷データ記憶部は、前記図形パターン選択部が選択した図形パターンを前記図形パターン記憶部から読み出し、その読み出した図形パターンを前記第２の印刷データとして取得することを特徴とする請求項１又は２に記載の印刷装置。
【請求項４】
前記印刷パターン記憶部は、マゼンタとイエローのインクを格子状の領域に同一色のインクが隣り合わないように交互に印刷するための印刷パターンを記憶することを特徴とする請求項１から３までのいずれかの項に記載の印刷装置。
【請求項５】
印刷媒体上に印刷データを印刷する印刷方法であって、
彩度の異なる少なくとも２色のインクを格子状の領域に同一色のインクが隣り合わないように印刷するための印刷パターンを記憶する印刷パターン記憶過程と、
前記印刷媒体上に印刷する画像データである第１の印刷データを取得する第１の印刷データ取得過程と、
前記第１の印刷データが印刷された印刷媒体上に印刷する画像データである第２の印刷データを取得する第２の印刷データ取得過程と、
前記印刷媒体上への前記第１の印刷データ及び前記第２の印刷データの印刷の開始を指示するための処理開始指示信号の入力を受け付ける処理開始指示取得過程と、
前記処理開始指示取得過程で処理開始指示信号が入力された場合に前記印刷媒体上に前記第１の印刷データ取得過程で取得した第１の印刷データを印刷した後、前記第１の印刷データが印刷された印刷媒体上に前記第２の印刷データ取得過程で取得した第２の印刷データを前記印刷パターン記憶過程で記憶した印刷パターンに基づいて印刷する印刷過程と、
を実行することを特徴とする印刷方法。
【発明の詳細な説明】
【技術分野】
【０００１】
本発明は、印刷装置及び印刷方法に関し、特に、印刷媒体上に第１の印刷データを印刷した後に、第２の印刷データを印刷するための印刷装置及び印刷方法に関する。
【背景技術】
【０００２】
従来から、３色のインクを使用してカラー印刷を行なう印刷装置が知られている（特許文献１）。印刷装置でカラー印刷を行なう場合には、シアン、マゼンタ、イエローなどのインクが用いられる。例えば、赤色を印刷する場合には、印刷媒体上にマゼンタとイエローとを重ねて印刷している。
【特許文献１】特開２００４−２９９１１３号公報
【発明の開示】
【発明が解決しようとする課題】
【０００３】
しかしながら、従来から使用されていた印刷装置では、イエローのインクの上にマゼンタのインクを印刷した場合に、イエローのインクとマゼンタのインクとが重ね合わされて、彩度が低くなるという問題があった。
【０００４】
本発明は、上記事情に鑑みてなされたものであり、その目的は、第２の印刷データを第１の印刷データ上に高い彩度で印刷することができる印刷装置及び印刷方法を提供することにある。
【課題を解決するための手段】
【０００５】
本発明は、上記課題を解決するためになされたもので、請求項１に記載の発明は、印刷媒体上に印刷データを印刷する印刷装置であって、彩度の異なる少なくとも２色のインクを格子状の領域に同一色のインクが隣り合わないように印刷するための印刷パターンを記憶する印刷パターン記憶部と、前記印刷媒体上に印刷する画像データである第１の印刷データを取得して記憶する第１の印刷データ記憶部と、前記第１の印刷データが印刷された印刷媒体上に印刷する画像データである第２の印刷データを取得して記憶第２の印刷データ記憶部と、前記印刷媒体上への前記第１の印刷データ及び前記第２の印刷データの印刷の開始を指示するための処理開始指示信号の入力を受け付ける処理開始指示取得部と、前記処理開始指示取得部から処理開始指示信号が入力された場合に前記印刷媒体上に前記第１の印刷データ記憶部が取得した第１の印刷データを印刷した後、前記第１の印刷データが印刷された印刷媒体上に前記第２の印刷データ記憶部が取得した第２の印刷データを前記印刷パターン記憶部に記憶された印刷パターンに基づいて印刷する印刷部とを備えることを特徴とする印刷装置である。
本発明では、印刷パターンを印刷パターン記憶部が記憶し、第１の印刷データを第１の印刷データ記憶部が取得して記憶し、第２の印刷データを第２の印刷データ記憶部が取得して記憶し、処理開始指示信号の入力を処理開始指示取得部が受け付け、処理開始指示信号が入力された場合に印刷媒体上に第１の印刷データを印刷した後、印刷媒体上に第２の印刷データを印刷パターンに基づいて印刷部が印刷するようにした。
よって、彩度が低い色と彩度が高い色との間の彩度で第２の印刷データを印刷することができるため、彩度が低い色のみを使用して第２の印刷データを印刷する場合に比べて、第２の印刷データを第１の印刷データ上に高い彩度で印刷することができる。
【０００６】
また、請求項２に記載の発明は、被写体を撮像するための撮像指示信号の入力を受け付ける撮像指示取得部と、前記撮像指示取得部が撮像指示を取得した場合に被写体を撮像する撮像部とを更に備え、前記第１の印刷データ記憶部は、前記撮像部が撮像した画像データを前記第１の印刷データとして取得することを特徴とする請求項１に記載の印刷装置である。
本発明では、第１の印刷データとして撮像部で撮像した画像データを用いるため、被写体を撮像した第１の印刷データ上に、彩度の高い第２の印刷データを印刷することができる。
【０００７】
また、請求項３に記載の発明は、前記第１の印刷データ上に印刷する複数の図形パターンを予め記憶する図形パターン記憶部と、前記複数の図形パターンの少なくとも１つを選択する図形パターン選択信号の入力を受け付ける図形パターン選択部とを備え、前記第２の印刷データ記憶部は、前記図形パターン選択部が選択した図形パターンを前記図形パターン記憶部から読み出し、その読み出した図形パターンを前記第２の印刷データとして取得することを特徴とする請求項１又は２に記載の印刷装置である。
本発明では、印刷媒体の第１の印刷データ上に、利用者が選択した彩度の高い画像データを印刷することができる。
【０００８】
また、請求項４に記載の発明は、前記印刷パターン記憶部は、マゼンタとイエローのインクを格子状の領域に同一色のインクが隣り合わないように交互に印刷するための印刷パターンを記憶することを特徴とする請求項１から３までのいずれかの項に記載の印刷装置である。
本発明では、彩度が低いマゼンタと彩度が高いイエローとの間の彩度で第２の印刷データを印刷することができるため、マゼンタのインクのみを使用して第２の印刷データを印刷する場合に比べて、第２の印刷データを第１の印刷データ上に高い彩度で印刷することができる。
【０００９】
また、請求項５に記載の発明は、印刷媒体上に印刷データを印刷する印刷方法であって、彩度の異なる少なくとも２色のインクを格子状の領域に同一色のインクが隣り合わないように印刷するための印刷パターンを記憶する印刷パターン記憶過程と、前記印刷媒体上に印刷する画像データである第１の印刷データを取得する第１の印刷データ取得過程と、前記第１の印刷データが印刷された印刷媒体上に印刷する画像データである第２の印刷データを取得する第２の印刷データ取得過程と、前記印刷媒体上への前記第１の印刷データ及び前記第２の印刷データの印刷の開始を指示するための処理開始指示信号の入力を受け付ける処理開始指示取得過程と、前記処理開始指示取得過程で処理開始指示信号が入力された場合に前記印刷媒体上に前記第１の印刷データ取得過程で取得した第１の印刷データを印刷した後、前記第１の印刷データが印刷された印刷媒体上に前記第２の印刷データ取得過程で取得した第２の印刷データを前記印刷パターン記憶過程で記憶した印刷パターンに基づいて印刷する印刷過程とを実行することを特徴とする印刷方法である。
【発明の効果】
【００１０】
本発明では、第２の印刷データを第１の印刷データ上に高い彩度で印刷することができる。
【発明を実施するための最良の形態】
【００１１】
以下、図面を参照し、本発明の実施形態について説明する。
図１は、本発明の実施形態による印刷装置１０の構成を示す概略図である。印刷装置１０の筐体１には、処理開始指示ボタン２、図形パターン選択ボタン３、撮像指示ボタン４、表示部５、撮像部６、印刷部７を備えている。
印刷装置１０の利用者が、処理開始指示ボタン２を押下することにより、印刷装置１０は処理を開始する。表示部５には、ハートマークなどの複数の図形パターンが表示される。利用者は、表示部５を参照して、左ボタン３ａ、右ボタン３ｂ、決定ボタン３ｃからなる図形パターン選択ボタン３を操作することにより、複数の図形パターンのうちいずれかの図形パターンを選択する。
その後、表示部５には、撮像部６が撮像する被写体（利用者など）が表示される。利用者が、撮像指示ボタン４を押下することにより、撮像部６での撮像が行なわれる。印刷部７は、撮像部６で撮像された画像データ（第１の印刷データ）と、図形パターン選択部３で選択された図形パターン（第２の印刷データ）とが印刷された印刷媒体を出力する。印刷媒体は、裏面にシールが添付された長方形状の印刷用紙であり、例えば、縦の長さが８．９ｃｍ、横の長さが１２．７ｃｍである。
【００１２】
図２は、本発明の実施形態による印刷装置１０の構成を示すブロック図である。この印刷装置１０は、処理開始指示取得部１１、制御部１２、図形パターン記憶部１３、表示部１４、図形パターン選択部１５、第２の印刷データ記憶部１６、撮像指示取得部１７、撮像部１８、第１の印刷データ記憶部１９、印刷パターン記憶部２０、印刷部２１を備えている。
【００１３】
処理開始指示取得部１１は、ボタンなどの入力機器であり、図１の処理開始指示ボタン２に対応している。処理開始指示取得部１１は、印刷媒体上への第１の印刷データ及び第２の印刷データの印刷の開始を指示するための処理開始指示信号の入力を受け付け、利用者の操作に基づいて処理開始指示信号が入力された場合に、処理開始指示信号を制御部１２に対して出力する。
制御部１２は、ＣＰＵ（Central Processing Unit）などの制御機器であり、印刷装置１０の各部を制御する。制御部１２の具体的な制御方法については、図５を参照して後述する。
図形パターン記憶部１３は、メモリなどの記憶機器であり、印刷装置１０の製造者等の処理に基づいて、第１の印刷データ上に印刷する複数の図形パターンを予め記憶する。
【００１４】
図３（ａ）〜図３（ｃ）は、本発明の実施形態による印刷装置１０の図形パターン記憶部１３が記憶する図形パターンの一例を示す図である。本実施形態では、図形パターン記憶部１３に、ハートマークｍ１（図３（ａ））、星マークｍ２（図３（ｂ））、丸マークｍ３（図３（ｃ））が記憶されている。
【００１５】
図２に戻り、表示部１４は、ＬＣＤ（Liquid Crystal Display）などの表示機器であり、図１の表示部５に対応している。表示部１４は、制御部１２が出力する複数の図形パターン（図３（ａ）〜図３（ｃ））を画面に表示する。
図形パターン選択部１５は、ボタンなどの入力機器であり、複数の図形パターンの少なくとも１つを選択する図形パターン選択信号の入力を受け付け、利用者の操作に基づいて図形パターン選択信号が入力された場合に、選択した図形パターンを識別するための図形パターン選択信号を制御部１２に対して出力する。
第２の印刷データ記憶部１６は、メモリなどの記憶機器であり、第１の印刷データが印刷された印刷媒体上に印刷する画像データである第２の印刷データを、図形パターン選択部１５が出力する図形パターン選択信号に基づいて取得して記憶する。
【００１６】
撮像指示取得部１７は、ボタンなどの入力機器であり、図１の撮像指示ボタン４に相当している。撮像指示取得部１７は、被写体を撮像するための撮像指示信号の入力を受け付け、利用者の操作に基づいて撮像指示信号が入力された場合に、撮像指示信号を制御部１２に対して出力する。
撮像部１８は、カメラなどの撮像機器であり、図１の撮像部１８に相当している。撮像部１８は、撮像指示取得部１７が撮像指示を取得した場合に、制御部１２の制御に基づいて被写体を撮像し、その撮像した画像データを制御部１２に出力する。
第１の印刷データ記憶部１９は、メモリなどの記憶機器であり、制御部１２の制御に基づいて、撮像部１８が出力する画像データであって印刷媒体上に印刷する画像データである第１の印刷データを取得して記憶する。
印刷パターン記憶部２０は、メモリなどの記憶機器であり、印刷装置１０の製造者等の処理に基づいて、図４に示すような印刷パターンを記憶する。
【００１７】
図４は、本発明の実施形態による印刷パターン記憶部２０が記憶する印刷パターンの一例を示す図である。図４に示すように、印刷パターン記憶部２０には、彩度の異なる少なくとも２色のインクを格子状の領域に同一色のインクが隣り合わないように印刷するための印刷パターンが記憶されている。具体的には、印刷パターン記憶部２０には、マゼンタとイエローのインクを、格子状の領域に同一色のインクが隣り合わないように交互に印刷するための印刷パターンが記憶されている。
【００１８】
なお、本実施形態では、格子状の領域が、縦３個×横３個の合計９個の領域により構成されている場合について説明しているが、これに限定されるものではない。格子状の領域を、縦ｍ個×横ｎ個の合計ｍ×ｎ個の領域により構成するようにしてもよい。ただし、ｍとｎは、それぞれ２以上の整数である。なお、１つの格子の縦と横の長さは、それぞれ約０．０４ｍｍである。
図４において、領域ｒ１２、ｒ２１、ｒ２３、ｒ３２はマゼンタのインクで印刷する領域であり、領域ｒ１１、ｒ１３、ｒ２２、ｒ３１、ｒ３３はイエローのインクで印刷する領域である。
【００１９】
図２に戻り、印刷部２１は、プリンタなどの印刷機器であり、図１の印刷部２１に対応している。印刷部２１は、処理開始指示取得部１１から処理開始指示信号が入力された場合に、印刷媒体上に第１の印刷データ記憶部１９が取得して記憶した第１の印刷データを印刷した後、第１の印刷データが印刷された印刷媒体上に第２の印刷データ記憶部１６が取得して記憶した第２の印刷データを、印刷パターン記憶部２０に記憶されている印刷パターンに基づいて印刷する。
【００２０】
図５は、本発明の実施形態による印刷装置１０の制御部１２の処理を示すフローチャートである。図５のフローチャートの処理を行なう前提として、図形パターン記憶部１３には、印刷装置１０の製造者等の処理に基づいて、図３（ａ）〜図３（ｃ）に示すような図形パターンが予め記録される。
また、第２の印刷データ記憶部１６には、印刷装置１０の製造者等の処理に基づいて、図４に示すような印刷パターンが予め記録される。
【００２１】
始めに、制御部１２は、処理開始指示取得部１１から処理開始信号を取得したか否かについて判定する（ステップＳ０１）。処理開始信号を取得していない場合には、ステップＳ０１で「ＮＯ」と制御部１２は判定し、予め設定された時間（例えば、１秒）が経過した後でステップＳ０１に進む。一方、処理開始信号を取得した場合には、ステップＳ０１で「ＹＥＳ」と制御部１２は判定し、ステップＳ０２に進む。
【００２２】
そして、制御部１２は、図形パターン記憶部１３から図形パターンを読み出し、表示部１４に表示する（ステップＳ０２）。表示部１４には、図６（ａ）に示すように、複数の図形パターンｍ１、ｍ２、ｍ３が表示される。図形パターンｍ１、ｍ２、ｍ３は、それぞれ図３（ａ）、図３（ｂ）、図３（ｃ）で説明した図形パターンである。
【００２３】
次に、制御部１２は、図形パターン選択部１５から図形パターン選択信号を取得したか否かについて判定する（ステップＳ０３）。図形パターン選択信号を取得していない場合には、ステップＳ０３で「ＮＯ」と制御部１２は判定し、予め設定された時間（例えば、１秒）が経過した後でステップＳ０３に進む。一方、図形パターン選択信号を取得した場合には、ステップＳ０３で「ＹＥＳ」と制御部１２は判定し、ステップＳ０４に進む。ここでは、図形パターン選択信号でハートマークの図形パターンｍ１が選択されている場合について説明する。
【００２４】
そして、制御部１２は、ステップＳ０３で取得した図形パターン選択信号で特定される図形パターンを、第２の印刷データとして第２の印刷データ記憶部１６に記録する（ステップＳ０４）。第２の印刷データ記憶部１６には、図６（ｂ）に示すような図形パターンｍ１が第２の印刷データとして記録される。
【００２５】
次に、制御部１２は、撮像指示取得部１７から撮像指示信号を取得したか否かについて判定する（ステップＳ０５）。撮像指示信号を取得していない場合には、ステップＳ０５で「ＮＯ」と制御部１２は判定し、予め設定された時間（例えば、１秒）が経過した後でステップＳ０５に進む。一方、撮像指示信号を取得した場合には、ステップＳ０５で「ＹＥＳ」と制御部１２は判定し、ステップＳ０６に進む。
【００２６】
そして、制御部１２は、撮像部１８により被写体を撮像する（ステップＳ０６）。
次に、制御部１２は、ステップＳ０６で撮像した画像データを撮像部１８から取得し、その画像データを第１の印刷データとして、第１の印刷データ記憶部１９に記録する（ステップＳ０７）。第１の印刷データ記憶部１９には、図６（ｃ）に示すような被写体ｍ４等が撮像された画像データｍ４が、第１の印刷データとして記録される。
【００２７】
次に、制御部１２は、第１の印刷データ記憶部１９から第１の印刷データを読み出す（ステップＳ０８）。そして、制御部１２は、裏面にシールが添付された印刷媒体上にステップＳ０８で読み出した第１の印刷データを、印刷部２１により印刷する（ステップＳ０９）。
【００２８】
次に、制御部１２は、第２の印刷データ記憶部１６から第２の印刷データを読み出す（ステップＳ１０）。そして、制御部１２は、印刷パターン記憶部２０から印刷パターンを読み出す（ステップＳ１１）。次に、制御部１２は、第１の印刷データが印刷された印刷媒体上に、ステップＳ１０で読み出した第２の印刷データ内の領域（ここでは、ハートマーク内の領域）を、ステップＳ１１で読み出した印刷パターンに基づいて、印刷部２１により印刷する（ステップＳ１２）。印刷部２１は、図６（ｄ）に示すように、第１の印刷データ（図６（ｃ））の上に、第２の印刷データ（図６（ｂ））が印刷された印刷媒体を出力する。
【００２９】
本発明の実施形態による印刷装置１０によれば、彩度が低い色と彩度が高い色との間の彩度で第２の印刷データを印刷することができるため、彩度が低い色のみを使用して第２の印刷データを印刷する場合に比べて、第２の印刷データを第１の印刷データ上に高い彩度で印刷することができる。
また、本発明の実施形態では、高い再度で第２の印刷データを印刷する際に、トーンカーブの技術や、３次元的な色変換処理を行なうＩＣＣ（International Color Consortium）プロファイルの技術を使用しないので、隣り合う領域間で階調飛びが発生することを防ぐことができる。
また、第２の印刷データの彩度を高くするために、特別なインクリボンを使用する必要がなく、通常用いられているインクリボンを使用することができるため、コストを低減することができる。
【００３０】
なお、以上説明した実施形態において、図２の印刷装置１０における処理開始指示取得部１１、制御部１２、図形パターン記憶部１３、表示部１４、図形パターン選択部１５、第２の印刷データ記憶部１６、撮像指示取得部１７、撮像部１８、第１の印刷データ記憶部１９、印刷パターン記憶部２０、印刷部２１の機能又はこれらの機能の一部を実現するためのプログラムをコンピュータ読み取り可能な記録媒体に記録して、この記録媒体に記録されたプログラムをコンピュータシステムに読み込ませ、実行することにより印刷装置の制御を行なってもよい。なお、ここでいう「コンピュータシステム」とは、ＯＳや周辺機器等のハードウェアを含むものとする。
【００３１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３２】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３３】
【図１】本発明の実施形態による印刷装置１０の構成を示す概略図である。
【図２】本発明の実施形態による印刷装置１０の構成を示すブロック図である。
【図３】本発明の実施形態による印刷装置１０の図形パターン記憶部１３が記憶する図形パターンの一例を示す図である。
【図４】本発明の実施形態による印刷パターン記憶部２０が記憶する印刷パターンの一例を示す図である。
【図５】本発明の実施形態による印刷装置１０の制御部１２の処理を示すフローチャートである。
【図６】本発明の実施形態による表示部１４に表示される画像等を示す図である。
【符号の説明】
【００３４】
１・・・筐体、２・・・処理開始指示ボタン、３・・・図形パターン選択ボタン、４・・・撮像指示ボタン、５・・・表示部、６・・・撮像部、７・・・印刷部、１０・・・印刷装置、１１・・・処理開始指示取得部、１２・・・制御部、１３・・・図形パターン記憶部、１４・・・表示部、１５・・・図形パターン選択部、１６・・・第２の印刷データ記憶部、１７・・・撮像指示取得部、１８・・・撮像部、１９・・・第１の印刷データ記憶部、２０・・・印刷パターン記憶部、２１・・・印刷部
【図１】
2008194831.tif 000003
【図２】
2008194831.tif 000004
【図３】
2008194831.tif 000005
【図４】
2008194831.tif 000006
【図５】
2008194831.tif 000007
【図６】
2008194831.tif 000008